(57)【要約】【課題】金銭や物品を連名で贈る場合に氏名等が書きやすく手軽に使用できる贈答に便利な連名シートの提供。【解決手段】上下方向の長さが収納対象に収納可能な大きさに設定された方形状の紙製シートで形成され、表面に、上下方向に延びて等間隔で平行に並ぶ複数本の罫線１２を表示して、これら罫線１２間の記入欄１３を複数設け、氏名等の記入をしやすくする。また、左右方向の中間部に、当該贈答用連名シート１１を折りたたむべく前記罫線１２と平行に延びる折り曲げ線１７を形成し、氏名等の記入後に外観美麗に折りためるようにする。折りたたんだ状態で金封等の収納対象に入れて贈ることで、多人数による祝福等の贈る心を表現できる。【選択図】図３
0003178428.tif 000002
【実用新案登録請求の範囲】
【請求項１】
シート状に形成され、
表面に、上下方向に延びて等間隔で平行に並ぶ複数本の罫線が表示されて、これら罫線間の記入欄が複数設けられ、
左右方向の中間部に、当該贈答用連名シートを折りたたむべく前記罫線と平行に延びる折り曲げ線が形成された
贈答用連名シート。
【請求項２】
前記折り曲げ線の形成位置が、当該贈答用連名シートを２つ折りする中間位置である
請求項１に記載の贈答用連名シート。
【請求項３】
前記罫線が長手方向の中間部よりも下側の部分で分断されて隙間を有し、
該隙間よりも上方の前記記入欄が住所を記入可能とされ、前記隙間よりも下方の前記記入欄が氏名を記入可能とされた
請求項１または請求項２に記載の贈答用連名シート。
【請求項４】
前記罫線のうちの最も右側の罫線の右側の側部における、罫線の上端部に対応する部位には「住所」の文字、罫線の中間部よりも下側の部分に対応する部位には「氏名」の文字が表示された
請求項１または請求項２に記載の贈答用連名シート。
【請求項５】
複数枚積層されて台紙の上にのせられた状態で包装された
請求項１から請求項４のうちのいずれか一項に記載の贈答用連名シート。
【請求項６】
前記台紙が当該贈答用連名シートよりも上下方向に大きく形成され、該台紙の下側部分が当該贈答用連名シートをのせる連名シート載置部に設定され、
該連名シート載置部よりも上の部分の表面に、当該贈答用連名シートの用途及び／又は簡単な使用方法を表示する簡易表示を有する広告部が形成され、
前記連名シート載置部の表面に、当該贈答用連名シートの詳しい使用方法を表示する詳細表示がなされた
請求項５に記載の贈答用連名シート。
【請求項７】
上下方向の長さが金封に収納可能な大きさの方形状に形成されるとともに紙製である
請求項１から請求項６のうちのいずれか一項に記載の金封のための贈答用連名シート。
【考案の詳細な説明】
【技術分野】
【０００１】
この考案は、金銭や物品を連名で贈るときに用いられる贈答用連名シートに関する。
【背景技術】
【０００２】
金銭や物品を贈る場合で格式を重んじるときには、贈る物の表に贈り主の氏名を記入する。
【０００３】
贈り物の一例として、祝儀などを贈る金封をみてみると、氏名の記入に当たって、贈り主が３名までの場合には、金封に直接氏名を記入する。２名又は３名の連名ならば氏名を並べて書く。贈り主が３名を超える場合には、金封に直接書くのではなく、別の奉書紙や和紙又は半紙に贈り主全員の氏名を書いて、その紙を金封に入れることとされている。
【０００４】
前者の場合には、氏名をバランスよく書くのが難しいくらいでさしたる問題はないが、後者の場合には、多人数の氏名をきれいに書くことが一層難しくなる。つまり、奉書紙等には記入のための欄はなく白紙であるため、多人数が氏名をきれいに書くことは難しい。氏名に加えて住所も書くのならば、より難しさが増す。
【０００５】
そのうえ、連名で贈ることが多々ある職場などで、多用途ではあるがあまり利用されない奉書紙等を事務用品として常備していることはまれであるため、連名を記入するための紙は必要となったときにその都度調達しなければならないことが多いという問題がある。
【０００６】
特に職場などでは、仲間の冠婚葬祭や様々な祝い等に際してみんなで祝福したりしたいものであるが、紙を調達したり、氏名等をきれいに記入するように特別に注意を払ったりしなければならない煩雑さのため、多人数の連名で祝儀などを贈ることは、簡単なことではなかった。この結果、本来の儀礼が蔑ろにされることがあるばかりか、伝統や文化に立脚する儀礼が忘れ去られようとしているという側面もある。
【０００７】
従来、連名記載の紙片を金封の外側面に付することは提案されていたが（下記特許文献１の段落［０００６］［０００７］参照）、前述のような問題を解決できる連名記載の紙片そのものはなかった。
【先行技術文献】
【特許文献】
【０００８】
【特許文献１】実開平５−６２４４４号公報
【考案の概要】
【考案が解決しようとする課題】
【０００９】
そこで、この考案は、文房具や事務用品の一つとして用意しておくことで手軽に使用できて、多人数の連名がきれいに書け、マナーに従って体裁よく金銭や物品を贈ることができるようにすることを主な目的とする。
【課題を解決するための手段】
【００１０】
そのための手段は、シート状に形成され、表面に、上下方向に延びて等間隔で平行に並ぶ複数本の罫線が表示されて、これら罫線間の記入欄が複数設けられ、左右方向の中間部に、当該贈答用連名シートを折りたたむべく前記罫線と平行に延びる折り曲げ線が形成された贈答用連名シートである。前記折り曲げ線の位置は、二つ折りする位置のほか、三つ折り等をする位置であってもよい。
【００１１】
この構成では、記入欄に必要事項を記入するときに、記入欄の両側の罫線が、列記される多人数の氏名を真っ直ぐきれいに、適した大きさで書くことを促す。また、折り曲げ線が形成されているが、贈答用連名シートは折りたたまれておらず平らであるので、多くの人のところに次々に運ばれて氏名が記入されるときに、折り癖がついている場合と違って平らな状態が保たれている。あくまでも折れのない平らなシートとして取り扱えるので、不測に角が折れたりすることを抑制できるとともに、書いている最中で贈答用連名シートが意に反して閉じてしまうことがないので、書きやすい。つまり、多人数の氏名でも書きやすい。
【００１２】
記入後は、折り曲げ線が贈答用連名シートの折り曲げをきれいで容易に行えるようにする。このため、耳をそろえた外観美麗な状態に折りたためるので、体裁が良い。
【００１３】
折りたたまれた贈答用連名シートは、贈り物に添えて金銭や物品とともに贈られる。
【００１４】
この考案の態様として、前記折り曲げ線の形成位置が、当該贈答用連名シートを２つ折りする中間位置である贈答用連名シートでもよい。
【００１５】
この構成では、折り曲げが一回で済むうえに、折りたたみ時には耳をそろえられるので折りたたみ作業が容易となる。
【００１６】
この考案の態様として、前記罫線が長手方向の中間部よりも下側の部分で分断されて隙間を有し、該隙間よりも上方の前記記入欄が住所を記入可能とされ、前記隙間よりも下方の前記記入欄が氏名を記入可能とされた贈答用連名シートでもよい。
【００１７】
この構成では、住所や氏名を書くべき記入欄が隙間によって区分されているので、多人数が記入をする場合でも、みな同じように統一性を持って書くことを促せる。
【００１８】
この考案の態様として、前記罫線のうちの最も右側の罫線の右側の側部における、罫線の上端部に対応する部位には「住所」の文字、罫線の中間部よりも下側の部分に対応する部位には「氏名」の文字が表示された贈答用連名シートでもよい。
【００１９】
この構成では、「住所」の文字と「氏名」の文字が記入欄に書くべき事項を明確に特定するので、多人数が記入をする場合でも、みな同じように統一性を持って書くように確実に促せる。
【００２０】
この考案の態様として、複数枚積層されて台紙の上にのせられた状態で包装された贈答用連名シートでもよい。
【００２１】
この構成では、包装された贈答用連名シートを文房具や事務用品の一つとして備えておくことによって、必要に応じていつでも使用することができ、使用に際して１枚の贈答用連名シートで足りない場合には、複数枚を使用して贈り物に添えることができる。また、贈答用連名シートを贈り物に添付した場合には、添付された贈答用連名シートに記載可能な一定以上の人数の連名は不可能であるが、贈り物とは別に扱われるので、必要な時に必要な枚数使用できて、手軽に使え、無駄も抑制できる。
【００２２】
前記台紙を有する場合、前記台紙は当該贈答用連名シートよりも上下方向に大きく形成され、該台紙の下側部分が当該贈答用連名シートをのせる連名シート載置部に設定され、該連名シート載置部よりも上の部分の表面に、当該贈答用連名シートの用途及び／又は簡単な使用方法を表示する簡易表示を有する広告部が形成され、前記連名シート載置部の表面に、当該贈答用連名シートの詳しい使用方法を表示する詳細表示がなされるとよい。
【００２３】
この構成では、台紙の広告部の簡易表示によって包装された贈答用連名シートの用途や簡単な使用方法が使用者に容易に認識され、贈答用連名シートを知らない者に対してもアピールすることができ、台紙の連名シート載置部の詳細表示を見ることによって、その予定された使用方法を知らせることができる。このため、本来の儀礼に則った正しい使用を促すことができる。詳細表示は台紙の連名シート載置部に表示されているので、スペースを有効利用できる上に、台紙のプリントは表面だけでよいため、製造コストを抑えることもできる。
【００２４】
この考案の態様として、上下方向の長さが金封に収納可能な大きさの方形状に形成されるとともに紙製である、金封のための贈答用連名シートとすることもできる。
【００２５】
この構成では、折りたたみ後は金封に収納される。方形状であるので折りたたんだときにも方形状となるとともに、紙製であるので金封との相性が良く、格式を重んじる金封にふさわしい贈答用連名シートとなる。
【考案の効果】
【００２６】
この考案によれば、文房具や事務用品の一つとして備えておくことで、金銭や物品を連名で贈ることが手軽に行えるようになり、しかも、多人数の連名がきれいに書け、折りたたみもきれいに行える有益な贈答用連名シートを提供できる。この贈答用連名シートを活用することによって、必要となるたびに連名用の紙を調達する手間が省け、難しい記入作業を簡単化できるので、贈る心を表現する儀礼を大切にし、古来受け継がれる伝統や文化を後世にも伝えてゆくことが期待できる。
【図面の簡単な説明】
【００２７】
【図１】贈答用連名シートの平面図。
【図２】贈答用連名シートの使用の仕方を示す説明図。
【図３】贈答用連名シートの構造を示す平面図と正面図。
【図４】贈答用連名シートの包装の仕方を示す説明図
【図５】贈答用連名シートの他の使用状態を示す一部破断平面図。
【考案を実施するための形態】
【００２８】
この考案を実施するための一形態を、以下図面を用いて説明する。  
図１は、贈答用連名シート１１の表面を示す平面図であり、この贈答用連名シート１１は、図２に示したように、金封２１で金銭を贈るのに好適な贈答用連名シート１１であって、祝儀等を金封２１に入れて贈るときに、金員を直接包む中袋２２に添えて金封２１に収納されるものである。
【００２９】
図３に贈答用連名シート１１の詳しい構造を示す。図３（ａ）は、贈答用連名シート１１の表面を示す平面図、図３（ｂ）は厚みを誇張して描いた正面図である。
【００３０】
この図に示すように、贈答用連名シート１１は、上下方向の長さ（たて）ｈ１が金封２１に収納可能な大きさに設定された方形状の紙製シートで形成されている。その表面には、上下方向に延びて等間隔で平行に並ぶ複数本の罫線１２が表示されて、これら罫線１２間の記入欄１３が複数設けられている。これら記入欄１３は同一幅である。
【００３１】
罫線１２の本数、つまり記入欄１３の数は適宜設定される。図示例の贈答用連名シート１１では、左右方向に１０個の記入欄を有する。
【００３２】
これらの記入欄１３は、上下に二分割されている。すなわち、前記罫線１２が長手方向の中間部よりも下側の部分で分断されて隙間１４を有し、この隙間１４よりも上方の記入欄１３ａが住所を記入可能な長さとされ、隙間１４よりも下方の記入欄１３ｂが氏名を記入可能な長さとされている。そして、前記罫線１２のうちの最も右側の罫線１２の右側の側部における、罫線１２の上端部に対応する部位には、前記上方の記入欄１３ａが住所を記入する欄であることを明示する「住所」の文字１５、罫線１２の中間部よりも下側の部分に対応する部位には、前記下方の記入欄１３ｂが氏名を記入する欄であることを明示する「氏名」の文字１６が表示されている。
【００３３】
また、左右方向の中間部に、当該贈答用連名シート１１を折りたたむべく前記罫線１２と平行に延びる折り曲げ線１７が形成されている。この折り曲げ線１７は、贈答用連名シートを２つ折りする線である。つまり、図３（ｂ）に仮想線で示したように表面を内側に折る谷折り線である。前記折り曲げ線１７の形成位置は、贈答用連名シート１１の耳をそろえた状態で２つ折りできるように、左右方向の中間位置である。このため、贈答用連名シート１１の左右方向の長さ（よこ）ｗ１は、二つ折りしたときに金封２１に収納可能な大きさである。
【００３４】
前記折り曲げ線１７は、外観上その存在が見える程度に上端から下端まで直線状の凹みを有するが、贈答用連名シート１１自体は平らに保たれている。
【００３５】
なお、前記折り曲げ線１７を図示する関係上、図３（ａ）では、折り曲げ線と重なる左右方向中間位置の罫線１２の一部を省略しているが、贈答用連名シート１１の外観は図１に示したとおりである。
【００３６】
このような贈答用連名シート１１は、図４に示したように複数枚重ねられ、台紙３１の上にのせられた状態で包装袋４１に収納され、包装される。
【００３７】
前記台紙３１は、厚手の紙からなり、左右方向の長さ（よこ）ｗ２が贈答用連名シート１１の左右方向の長さ（よこ）ｗ１と同一で、上下方向の長さ（たて）ｈ２が贈答用連名シートの上下方向の長さ（たて）ｈ１よりも大きく形成されている。
【００３８】
台紙３１の下側部分、つまり台紙の下側の贈答用連名シート１１と同じ大きさの部分（図４の仮想線３２よりも下の部分）は贈答用連名シート１１をのせる連名シート載置部３３である。
【００３９】
一方、この連名シート載置部３３よりも上の部分は広告部３４で、表面に、贈答用連名シート１１の用途と簡単な使用方法を表示する簡易表示３４ａが表示されている。簡易表示３４ａは、例えば「グループで贈るときに書きやすい連名シート」、「住所と氏名を立場が上の人から左に向けて列記」「書き終えた連名シートは縦半分に折って中袋に添えて金封に入れます」などとすることができる。
【００４０】
また前記連名シート載置部３３の表面には、贈答用連名シート１１の詳しい使用方法を表示する詳細表示３３ａがなされている。詳細表示３３ａは、前記例のような使用方法を詳しい文とイラストで説明する表示とするとよい。
【００４１】
このように構成され包装された贈答用連名シート１１は、次のように使用される。
【００４２】
包装された状態の贈答用連名シート１１は、金封２１の付属アイテムとして備えられ、必要な時に必要な枚数が包装袋４１から取り出される。
【００４３】
取り出した贈答用連名シート１１には、台紙３１の簡易表示３４ａおよび詳細表示３３ａに記載のとおりに贈り主の住所と氏名を列記する。これらの記入は、連名する人数が記入欄１３の数より少ない場合には中央に寄せてバランスよく記入欄１３を使用して行う。
【００４４】
記入時には、記入欄１３の両側の罫線１２によって、列記される多人数の氏名を真っ直ぐきれいに、適した大きさで書くことが促される。また、折り曲げ線１７が形成されているものの、贈答用連名シート１１は折りたたまれておらず平らであるので、多くの人のところに次々に運ばれて各人が別々に記入するときでも、折り癖がついている場合と違って平らな状態が保たれている。このため、あくまでも折れのない平らなシートとして取り扱え、不測に角が折れたりすることを抑制できるとともに、書いている最中で贈答用連名シート１１が意に反して閉じてしまうことがないので、書きやすい。つまり、多人数の氏名でも書きやすい。
【００４５】
しかも、住所や氏名を書くべき記入欄１３が隙間１４によって区分され、それぞれには「住所」「氏名」の文字１５，１６が表示されているので、多人数が記入を行う場合でも、間違えることなく、みな同じように統一性を持って書くようにすることができる。
【００４６】
記入後は、贈答用連名シート１１を折り曲げ線１７で縦に二つ折りにする。折り曲げ線１７の位置は左右方向の中間位置であるので、耳をそろえるように行えば、折り曲げ線に沿って外観美麗な折りたたみ状態が容易に得られる。
【００４７】
前述のように記入作業中に贈答用連名シート１１が平らな状態を保っているため角を棄損したりすることを抑制できることと相まって、多くの人の手によって記入がなされたものであっても、美麗で体裁の良い状態が得られる。
【００４８】
このあと、折りたたんだ贈答用連名シート１１を、図２に示したように中袋２２に添えて、金封２１に収納する。贈答用連名シート１１は方形状であるので折りたたんだときにも方形状となるので、金封２１と同様に形状となる。そのうえ、贈答用連名シート１１は紙製であるので、外観上も金封２１との相性が良い。この結果、格式を重んじる金封２１にふさわしい贈答用連名シート１１となる。
【００４９】
このような使用方法は、一緒に包装している台紙３１に記載されているので、使用する者が初めて使用する場合でも正しい使用を促すことができる。しかも、台紙３１は連名シート載置部３３より上に広告部３４を備えているので、贈答用連名シート１１の用途や簡単な使用方法が使用者に容易に認識され、贈答用連名シート１１を知らない者に対しても使用をアピールすることができる。また詳細表示３３ａは台紙３１の連名シート載置部３３に表示されているので、スペースを有効利用できる上に、台紙３１に対して簡易表示３４ａや詳細表示３３ａ等を表示するためのプリントは表面だけでよいため、製造コストを抑えることもできる。
【００５０】
以上のように、贈答用連名シート１１は、常備される金封２１と同様に文房具や事務用品の一つとして備えておくことで、祝儀等を連名で贈ることが手軽に行えるようにし、しかも、多人数の連名がきれいに書け、折りたたみもきれいに行えるという、有益なものである。
【００５１】
贈答用連名シート１１を金封２１に添付した場合には、一定以上の人数の連名は不可能であるが、金封２１とは別に取引されるようにしたので、必要な時に必要な枚数使用でき、手軽に使えるという効果をさらに高められる。
【００５２】
このような贈答用連名シート１１を活用すれば、必要となるたびに連名用の紙を調達する手間が省けるとともに、難しい記入作業を簡単化できるので、贈る心を表現する儀礼を大切にし、古来受け継がれる伝統や文化を後世に伝えてゆくことに貢献することができる。
【００５３】
図５は、贈答用連名シート１１の他の使用状態を示す一部破断平面図であり、この例では、例えば中元などの物品５１を贈る場合の例を示している。
【００５４】
贈答用連名シート１１は、前記の図３に示したように構成される。このほか、例えば、罫線１２の隙間１４を省略したり、罫線１２の長さを氏名のみの記入に必要な短い長さにしたり、「住所」の文字１５や「氏名」の文字１６を省略したり、適宜変更することができる。
【００５５】
前記物品には、熨斗紙５２がかけられるので、贈答用連名シート１１は記入後に折りたたんで、熨斗紙５２の上に添えて、包装紙５３で包装される。このように使用しても、前述と同様の作用効果が得られる。
【００５６】
前記一形態の構成は、この考案を実施するためのものであって、この考案は、前述の構成以外の構成を作用することもできる。
【００５７】
例えば、金封用連名シートの裏面に、折りたたんだときに現れるように例えば「寿」の文字など適宜の表示をしてもよい。
【００５８】
また、金封用連名シート１１の形状は方形以外の適宜の形状、例えばハート形などであってもよく、材質も、例えば合成樹脂など用途に応じて適宜選定できる。
【符号の説明】
【００５９】
１１…贈答用連名シート
１２…罫線
１３…記入欄
１４…隙間
１５…「住所」の文字
１６…「氏名」の文字
１７…折り曲げ線
２１…金封
３１…台紙
３３…連名シート載置部
３３ａ…詳細表示
３４…広告部
３４ａ…簡易表示
【図１】
0003178428.tif 000003
【図２】
0003178428.tif 000004
【図３】
0003178428.tif 000005
【図４】
0003178428.tif 000006
【図５】
0003178428.tif 000007